(57)【要約】【課題】爪先で地面を後方に蹴り出すように歩くことを支援する機能を有する靴の中敷きを提供する。【解決手段】靴底の内表面とほぼ同形状の中敷き本体１２の爪先部に、弾性を有し、先方に向かうに従い高さが次第に高くなる傾斜体２２が設けられている靴の中敷き１０とする。【選択図】図２
2010284212.tif 000002
【特許請求の範囲】
【請求項１】
靴底の内表面とほぼ同形状の中敷き本体の爪先部に、弾性を有し、先方に向かうに従い高さが次第に高くなる傾斜体が設けられていることを特徴とする靴の中敷き。
【請求項２】
前記中敷き本体と傾斜体は一体に成形されていることを特徴とする請求項１に記載の靴の中敷き。
【請求項３】
前記中敷き本体と傾斜体は別体であり、中敷き本体の爪先部に傾斜体が装着されていることを特徴とする請求項１に記載の靴の中敷き。
【請求項４】
前記靴の中敷きの爪先部に前後方向に沿って単数または複数のスリットが形成され、前記スリットにより、靴の中敷きの爪先部が足指に対応する２〜１０個の足指対応部に分割されていることを特徴とする請求項２に記載の靴の中敷き。
【請求項５】
前記中敷き本体は上側シートおよび下側シートからなる２層構造を有し、前記上側シートと下側シートとの間に前記傾斜体が装着されていることを特徴とする請求項３に記載の靴の中敷き。
【請求項６】
前記上側シートの爪先部に前後方向に沿って単数または複数のスリットが形成され、前記スリットにより、上側シートの爪先部が足指に対応する２〜１０個の足指対応部に分割されているとともに、上側シートの各足指対応部と下側シートとの間にそれぞれ前記傾斜体が装着されていることを特徴とする請求項５に記載の靴の中敷き。
【請求項７】
前記中敷き本体は１枚のシートからなり、前記シートの下面に前記傾斜体が装着されていることを特徴とする請求項３に記載の靴の中敷き。
【請求項８】
前記シートの爪先部に前後方向に沿って単数または複数のスリットが形成され、前記スリットにより、シートの爪先部が足指に対応する２〜１０個の足指対応部に分割されているとともに、シートの各足指対応部の下面にそれぞれ前記傾斜体が装着されていることを特徴とする請求項７に記載の靴の中敷き。
【請求項９】
前記中敷き本体は１枚のシートからなり、前記シートの上面に前記傾斜体が装着されていることを特徴とする請求項３に記載の靴の中敷き。
【請求項１０】
前記靴の中敷きの上面に、靴の中で足が前後に滑ることを防止する滑り止め部が設けられていることを特徴とする請求項１〜９のいずれか１項に記載の靴の中敷き。
【発明の詳細な説明】
【技術分野】
【０００１】
本発明は、ウォーキングやゴルフ、テニスなどの靴を履いて行う運動における足の動きを支援する機能を有する靴の中敷きに関する。
【背景技術】
【０００２】
従来、ウォーキングなどの靴を履いて行う運動における足の動きを支援する機能を有する靴の中敷きが提案されている。例えば、特許文献１には、靴に対するフィッティング機能および歩行支援機能を向上させることが可能な靴の中敷き（インソール）として、使用者の足底先端部に対応する位置に、使用者の足底先端部に当接して使用者の足が履物の内部において前方向に移動するのを規制する足底先端部支持体を着脱自在に設けたものが提案されている（請求項１）。
【先行技術文献】
【特許文献】
【０００３】
【特許文献１】特開２００８−２３２９０号公報
【発明の概要】
【発明が解決しようとする課題】
【０００４】
ウォーキングにおいては、足は踵から着地した後、爪先で地面を後方に蹴り出すように歩くことが良いフォームであるとされている。しかし、特許文献１の靴の中敷は、靴を履いて行う運動における足の動きを支援する機能として、使用者の足が履物の内部において前方向に移動するのを規制する機能は有するが、爪先で地面を後方に蹴り出すように運動することを支援する機能を有するものではなく、歩行を支援する機能が不十分なものであった。
【０００５】
本発明は、上記事情に鑑みてなされたもので、爪先で地面を後方に蹴り出すように運動することを支援する機能を有し、十分な運動支援機能を有する靴の中敷きを提供することを目的とする。
【課題を解決するための手段】
【０００６】
本発明は、前記目的を達成するため、靴底の内表面とほぼ同形状の中敷き本体の爪先部に、弾性を有し、先方に向かうに従い高さが次第に高くなる傾斜体が設けられていることを特徴とする靴の中敷きを提供する。ここで、中敷き本体の爪先部とは、中敷き本体の少なくとも足の指の先が直接または間接的に接触する部分をいう。
【０００７】
本発明に係る靴の中敷きは、先方に向かうに従い高さが次第に高くなる傾斜体を中敷き本体の爪先部に有するので、ウォーキング等の靴を履いて行う運動において、上記傾斜体の弾性効果、形状効果により、足の爪先で地面を後方に蹴り出す動きを支援することができる。すなわち、本発明に係る靴の中敷きの傾斜体は、反発力を有し、かつ、先方に向かうに従い高さが次第に高くなるので、ウォーキング時等に靴の使用者が上記傾斜体を爪先で押した場合、爪先で地面を後方に強く蹴り出すことができる。
【０００８】
本発明に係る靴の中敷きの構成に限定はなく、中敷き本体と傾斜体は一体としてもよく、別体としてもよいが、中敷き本体と傾斜体を別体とする場合、例えば、下記（１）〜（３）の構成とすることができる。
（１）中敷き本体は上側シートおよび下側シートシートからなる２層構造を有し、上側シートと下側シートとの間に傾斜体が装着されている構成。この構成では、中敷き本体を２層構造とするので、靴の中敷きの強度を高めることができる。
（２）中敷き本体は１枚のシートからなり、このシートの下面に傾斜体が装着されている構成。
（３）中敷き本体は１枚のシートからなり、このシートの上面に傾斜体が装着されている構成。
【０００９】
上記（１）の構成では、さらに、上側シートの爪先部に前後方向に沿って単数または複数のスリットが形成され、上記スリットにより、上側シートの爪先部が足指に対応する２〜１０個の足指対応部に分割されているとともに、上側シートの各足指対応部と下側シートとの間にそれぞれ傾斜体が装着されている構成を採ることができる。また、上記（２）の構成では、さらに、シートの爪先部に前後方向に沿って単数または複数のスリットが形成され、上記スリットにより、シートの爪先部が足指に対応する２〜１０個の足指対応部に分割されているとともに、シートの各足指対応部の下面にそれぞれ傾斜体が装着されている構成を採ることができる。ウォーキング時等に靴の使用者が傾斜体を爪先で押す場合、人によってどの足指に特に力が加わるかが異なるが、上記のように足指対応部を形成し、この足指対応部にそれぞれ傾斜体を装着した場合には、力が加わる足指が異なる種々の人にそれぞれ対応することが可能となる。足指対応部のより好ましい個数は２〜５個である。
【００１０】
本発明では、中敷き本体の上面に、靴の中で足が前後に滑ることを防止する滑り止め体を設けることができる。これにより、本発明に係る靴の中敷きの運動支援機能をさらに向上させることができる。
【００１１】
本発明に係る靴の中敷きは、靴を履いて行う運動における足の動きを支援する機能を有するもので、上記運動としては、例えば、ウォーキング、ジョギング、ランニング、ゴルフ、テニス等が挙げられ、本発明に係る靴の中敷きは、ウォーキングシューズやゴルフシューズ、テニスシューズに特に好適に使用される。
【発明の効果】
【００１２】
本発明に係る靴の中敷きは、ウォーキング等の靴を履いて行う運動において、爪先で地面を後方に蹴り出す足の動きを支援することができ、優れた運動支援機能を有する。
【図面の簡単な説明】
【００１３】
【図１】本発明に係る靴の中敷きの第１実施形態を示す平面図である。
【図２】図１の靴の中敷きの図１Ａ−Ａ線に沿った断面図である。
【図３】本発明に係る靴の中敷きの第２実施形態を示す断面図である。
【図４】本発明に係る靴の中敷きの第３実施形態を示す平面図である。
【図５】図４の靴の中敷きの図１Ｂ−Ｂ線に沿った断面図である。
【図６】本発明に係る靴の中敷きの第４実施形態を示す断面図である。
【図７】本発明に係る靴の中敷きの第５実施形態を示す平面図である。
【図８】本発明に係る靴の中敷きの第６実施形態を示す平面図である。
【図９】図７の靴の中敷きの図１Ａ−Ａ線に沿った断面図である。
【図１０】本発明に係る靴の中敷きの第７実施形態を示す断面図である。
【図１１】図１０の靴の中敷きの動作を示す断面図である。
【発明を実施するための形態】
【００１４】
以下、本発明につき図面を参照して詳しく説明する。
【００１５】
（第１実施形態）
図１は本発明に係る靴の中敷きの第１実施形態を示す平面図、図２は同靴の中敷きの図１Ａ−Ａ線に沿った断面図である。本例の靴の中敷き１０において、１２は中敷き本体を示す。この中敷き本体１２は、靴底の内表面とほぼ同形状を有する上側シート１４および下側シート１６からなる２層構造のものである。上側シート１４の爪先部には、前後方向に沿って４本のスリット１８が形成され、これにより上側シート１４の爪先部が５本の足指に対応する５個の足指対応部２０に分割されている。なお、下側シート１６には、スリットは形成されていない。
【００１６】
中敷き本体１２の爪先部には、上側シート１４の各足指対応部２０と下側シート１６との間に、傾斜体２２が装着されている。この傾斜体１８は、弾性材料により形成され、先方に向かうに従い高さが次第に高くなる断面ほぼ三角形のものである。ただし、傾斜体２２の上面（傾斜面）は、若干凹面状となっている。なお、傾斜体の形状は限定されるものではなく、くさび形等の適宜形状とすることができる。
【００１７】
上側シート１４の各足指対応部２０の下面と各傾斜体２２の上面、下側シート１６の上面と各傾斜体２２の下面、および、傾斜体２２が装着されていない部分の上側シート１４の下面と下側シート１６の上面とは、それぞれ接着剤により接着されている。
【００１８】
なお、図示していないが、互いに隣接する足指対応部２０の間、および、互いに隣接する傾斜体２２の間には、それぞれ若干の隙間が形成されており、これにより足指対応部２０同士が擦れて足指対応部２０が破損したり、傾斜体２２同士が擦れて傾斜体２２が破損したりすることが防止されている。
【００１９】
本例において、上側シート１４および下側シート１６の材質としては、例えば、エチレンビニルアセテート（ＥＶＡ）、ポリオレフィン発泡体、ポリウレタン発泡体、熱可塑性ポリウレタン、ゴム等を挙げることができるが、これらに限定されるものではない。また、傾斜体２２を形成する弾性材料としては、弾性、反発性を有するものであればよく、例えば、エチレンビニルアセテート（ＥＶＡ）、ポリオレフィン発泡体、ポリウレタン発泡体、熱可塑性ポリウレタン、ゴム、板ばね等を挙げることができるが、これらに限定されるものではない。上側シート１４、下側シート１６および傾斜体２２の材質は全て同じでもよく、全て異なっていてもよい。また、上側シート１４、下側シート１６および傾斜体２２は単層構造でもよく、多層構造でもよい。
【００２０】
本例において、上側シート１４および下側シート１６の厚みは、それぞれ１〜１０ｍｍとすることが適当である。本例において、傾斜体２２の先端部の高さ（最大高さ）ｍは、２０ｍｍ以下、特に１〜２０ｍｍ、中でも５〜１２ｍｍとすることが、爪先で地面を後方に蹴り出す足の動きを支援する点で好適である。また、傾斜体２２の前後方向長さｎは、足指の長さと同程度とすることが適当であり、具体的には１５〜７０ｍｍ、特に２０〜６０ｍｍとすることが、爪先で地面を後方に蹴り出す足の動きを支援する点で好適であるが、靴のサイズに合わせて適宜変化させればよい。
【００２１】
（第２実施形態）
図３は本発明に係る靴の中敷きの第２実施形態を示す断面図である。平面図は、第１実施形態と同じであるため省略する。
【００２２】
本例の靴の中敷き３０は、第１実施形態の靴の中敷きにおいて、下側シートを省略したものである。すなわち、本例の靴の中敷き３０は、中敷き本体３２を１枚のシートで形成し、この中敷き本体３２の爪先部において、各足指対応部の下面と各傾斜体３４の上面とをそれぞれ接着剤により接着してある。
【００２３】
中敷き本体３２の材質や、傾斜体３４の材質、先端部の高さおよび前後方向長さについては、第１実施形態で述べたのと同様である。また、中敷き本体３２の厚みは、２〜１５ｍｍとすることが適当である。
【００２４】
（第３実施形態）
図４は本発明に係る靴の中敷きの第３実施形態を示す平面図、図５は同靴の中敷きの図１Ｂ−Ｂ線に沿った断面図である。
【００２５】
本例の靴の中敷き４０は、第１実施形態の靴の中敷きにおいて、上側シートを省略するとともに、分割していない１つの傾斜体を用いたものである。すなわち、本例の靴の中敷き４０は、中敷き本体４２を１枚のシートで形成し、この中敷き本体４２の爪先部の上面と傾斜体４４の下面とを接着剤により接着してある。
【００２６】
中敷き本体４２の材質や、傾斜体４４の材質、先端部の高さおよび前後方向長さについては、第１実施形態で述べたのと同様である。また、中敷き本体４２の厚みは、２〜１５ｍｍとすることが適当である。
【００２７】
（第４実施形態）
図６は本発明に係る靴の中敷きの第４実施形態を示す断面図である。平面図は、第３実施形態と同じであるため省略する。
【００２８】
本例の靴の中敷き８０は、中敷き本体８２と傾斜体８４とを一体に成形したものである。なお、本例の靴の中敷き８０の爪先部に前後方向に沿ってスリットを形成し、これにより靴の中敷き８０の爪先部を２〜１０の足指対応部に分割してもよい。
【００２９】
中敷き本体８２および傾斜体８４の材質や、傾斜体８４の先端部の高さおよび前後方向長さについては、第１実施形態で述べたのと同様である。また、中敷き本体８２の厚みは、２〜１５ｍｍとすることが適当である。
【００３０】
（第５実施形態）
図７は本発明に係る靴の中敷きの第５実施形態を示す平面図である。断面図は、第１実施形態と同じであるため省略する。
【００３１】
本例の靴の中敷き５０は、第１実施形態の靴の中敷きにおいて、足指対応部の態様を変更したものである。すなわち、本例の靴の中敷き５０は、中敷き本体５２の上側シート５４の爪先部に、前後方向に沿って１本のスリット５６が形成され、これにより上側シート１４の爪先部が第１趾に対応する足指対応部５８と、第２趾〜第５趾に対応する足指対応部６０とに分割されている。なお、下側シートには、スリットは形成されていない。
【００３２】
また、本例では、傾斜体として、第１趾に対応する足指対応部５８とほぼ同形状の傾斜体６２と、第２趾〜第５趾に対応する足指対応部６０とほぼ同形状の傾斜体６４とを用いている。そして、上側シート５４の各足指対応部５８、６０の下面と各傾斜体６２、６４の上面、下側シートの上面と各傾斜体６２、６４の下面、および、傾斜体６２、６４が装着されていない部分の上側シート５４の下面と下側シートの上面とは、それぞれ接着剤により接着されている。なお、第１実施形態と同様に、互いに隣接する足指対応部５８、６０の間、および、互いに隣接する傾斜体６２、６４の間には、それぞれ若干の隙間が形成されている。
【００３３】
中敷き本体５２の材質、厚みや、傾斜体６２、６４の材質、先端部の高さおよび前後方向長さについては、第１実施形態で述べたのと同様である。
【００３４】
（第６実施形態）
図８は本発明に係る靴の中敷きの第６実施形態を示す平面図、図９は同靴の中敷きの図１Ａ−Ａ線に沿った断面図である。
【００３５】
本例の靴の中敷き７０は、第１実施形態の靴の中敷きにおいて、上側シート１４の各足指対応部２０の付け根付近に、略四角形の滑り止め体７２を接着したものである。それ以外は、本例の靴の中敷き７０は、第１実施形態の靴の中敷きと同一であるため、図８、図９において、図１、図２と同一構成の部分には、同一の参照符号を付してその説明を省略する。
【００３６】
本例で用いた滑り止め体７２は、靴の中で足が前後に滑ることを防止する機能を有するもので、その形状は本例のものに限らず、適宜設定することができる。また、滑り止め体の材質としては、例えば、エチレンビニルアセテート（ＥＶＡ）、ポリオレフィン発泡体、ポリウレタン発泡体、熱可塑性ポリウレタン、ゴム等を挙げることができるが、これらに限定されるものではない。
【００３７】
（第７実施形態）
図１０は本発明に係る靴の中敷きの第７実施形態を示す断面図である。平面図は、第１実施形態と同じであるため省略する。
【００３８】
本例の靴の中敷き９０は、第１実施形態の靴の中敷きにおいて、傾斜体２２として、爪先部の最先方に位置し、硬度が低い低硬度部２２ａと、低硬度部２２ａの後方に位置し、低硬度部２２ａより硬度が高い高硬度部２２ｂとを一体成形したものを用いたものである。低硬度部２２ａおよび高硬度部２２ｂの硬度は、適宜設定することができる。それ以外は、本例の靴の中敷き９０は、第１実施形態の靴の中敷きと同一であるため、図１０、図１１（後述）において、図１、図２と同一構成の部分には、同一の参照符号を付してその説明を省略する。
【００３９】
本例の靴の中敷き９０は、図１１に示すように、ウォーキング時等に靴の使用者が上記傾斜体２２を爪先９２で押した場合、先方の低硬度部２２ａが後方の高硬度部２２ｂよりも大きく変形し、これによって爪先９２で地面を後方により強く蹴り出すことができるものである。
【００４０】
本発明に係る靴の中敷きは、上述した実施形態に限定されるものではなく、本発明の要旨を逸脱しない範囲で種々の変更が可能である。例えば、第１実施形態において、上側シートの爪先部にスリットを設けず、上側シートと下側シートとの間に１つの傾斜体を装着してもよい。また、第１実施形態において、傾斜体として、単数または複数の足指に対応する２つ以上の部分に分割した傾斜体を用いてもよい。さらに、第４実施形態において、中敷き本体と滑り止め体とを一体に成形してもよい。また、各実施形態において、デザイン性、吸着性、吸水性向上などのために、靴の中敷きを生地や皮革で覆うようにしてもよく、この場合も本発明の効果は変わらない。
【符号の説明】
【００４１】
１０  靴の中敷き
１２  中敷き本体
１４  上側シート
１６  下側シート
１８  スリット
２０  足指対応部
２２  傾斜体
３０  靴の中敷き
３２  中敷き本体
３４  傾斜体
４０  靴の中敷き
４２  中敷き本体
４４  傾斜体
５０  靴の中敷き
５２  中敷き本体
５４  上側シート
５６  スリット
５８、６０  足指対応部
６２、６４  傾斜体
７０  靴の中敷き
７２  滑り止め体
８０  靴の中敷き
８２  中敷き本体
８４  傾斜体
９０  靴の中敷き
【図１】
2010284212.tif 000003
【図２】
2010284212.tif 000004
【図３】
2010284212.tif 000005
【図４】
2010284212.tif 000006
【図５】
2010284212.tif 000007
【図６】
2010284212.tif 000008
【図７】
2010284212.tif 000009
【図８】
2010284212.tif 000010
【図９】
2010284212.tif 000011
【図１０】
2010284212.tif 000012
【図１１】
2010284212.tif 000013